(57)【要約】【課題】本発明は自動的に数量を変えるガラス蝋燭立てを開示した。【解決手段】台座及び蝋燭を立てる蝋燭立てを含み、前記蝋燭立ての中には四つの外部空間と連通した回転溝が設置され、前記回転溝の両側端壁の中にはいずれも前記回転溝と連通した昇降溝が設置され、前記回転溝の中には回転でき且つ蝋燭を立てる回転板が設置され、前記昇降溝の中には昇降でき且つ一端が前記回転溝の中に位置した昇降ブロックが設置され、二つの前記昇降ブロックの間には前記回転板の下端を貫通して第一ねじりばねによって前記回転板と連結した回転軸が固定され、二つの前記昇降ブロックの間には前記回転板が回転した後前記回転板を支持する位置制限板が固定されされ、蝋燭の量によって、ガラス蝋燭立ては機械の伝動によって自動的に一定な量の蝋燭を立てる回転板を伸び出し、必要のない時回転板を蝋燭立ての中に収納でき、蝋燭立ての体積をへらす。【選択図】図１
2020177893.tif 000002
【特許請求の範囲】
【請求項１】
正面視で、自動的に数量を変えるガラス蝋燭立てであって、台座及び蝋燭を立てる蝋燭立てを含み、前記蝋燭立ての中には四つの外部空間と連通した回転溝が設置され、前記回転溝の両側端壁の中にはいずれも前記回転溝と連通した昇降溝が設置され、前記回転溝の中には回転でき且つ蝋燭を立てる回転板が設置され、前記昇降溝の中には昇降でき且つ一端が前記回転溝の中に位置した昇降ブロックが設置され、二つの前記昇降ブロックの間には前記回転板の下端を貫通して第一ねじりばねによって前記回転板と連結した回転軸が固定され、二つの前記昇降ブロックの間には前記回転板が回転した後前記回転板を支持する位置制限板が固定されされ、前記回転板の上端には係止ブロックが固定され、前記蝋燭立ての中には前記回転溝に連通した回転チャンバが設置され、前記回転チャンバの中には装置の作動に動力を提供する駆動機構が設置され、前記駆動機構はモーター及び前記モーターと伝動できるように連結された駆動軸を含み、前記駆動軸の下端には昇降板がスライドできるように連結され、前記昇降板の中には前記昇降板に貫通された前記回転溝が設置され、前記回転溝の中には前記駆動軸とねじ山によって連結され且つ前記昇降板を昇降させる回転ブロックが設置され、前記回転溝の外端壁の中には二つの前記回転溝を連通した弓形チャンバが設置され、前記弓形チャンバの一側端壁の中には弓形溝が設置され、前記弓形溝の中には一端が前記弓形チャンバの中に位置した弓形棒と、前記弓形棒を復帰させる伸縮撥条が設置され、前記弓形棒の一端には一端が前記回転溝を貫通しかつ前記回転ブロックと連結された連結ブロックが設置され、前記回転チャンバの上端壁の中には回転チャンバが設置され、前記回転チャンバの中には前記係止ブロックと前記回転板の回転を制限できる制限機構が設置され、前記制限機構は前記回転チャンバの後端壁に固定された二つの支持板を含み、前記駆動軸の上端が二つの前記支持板を貫通しかつ前記回転チャンバの中に位置し、前記駆動軸の上端には回転棒がスライドできるように連結されかつ前記回転棒が上側の前記支持板の上側に位置し、前記駆動軸の上端にはまた二つの前記支持板の間に位置した円形板がスライドできるように連結され、上側の前記支持板の中には前記円形板と吸引し合う電磁リングが設置され、前記回転棒の上端には上端と前記回転チャンバの上端とが固定的に連結され且つ前記回転棒を復帰させる第二ねじりばねが設置され、前記円形板の中には二つの前記円形板を貫通した弓形穴が設置され、前記回転棒の前後両端にはいずれも前記弓形棒を貫通した二つの押しブロックが設置され、前記円形板の下端面には二つの固定ブロックが固定され、装置の作用は前記駆動軸の回転によって前記制限機構の作動を制御し、それにより需要によって一定数量の前記回転板の回転を制御し、それによりスペースを節約することを特徴とする自動的に数量を変えるガラス蝋燭立て。
【請求項２】
前記駆動機構は前記弓形棒の中に位置した下に開口した押出溝を含み、前記押出溝の中には押出ブロック及び前記押出ブロックを復帰させる押出撥条が設置され、前記弓形溝の下端壁の中には前記回転チャンバを連通した位置制限穴が設置され、前記回転チャンバの下端壁には上端が前記位置制限穴の中に位置した二つの固定棒が設置され、前記昇降板の前後左右四端にはいずれも一端が前記位置制限板の下側に位置し且つ前記位置制限板を上昇させる昇降棒が固定され、前記駆動機構の作用は前記円形板の回転を制御する同時にニーズによって回転板を昇降連動させることを特徴とする請求項１に記載の自動的に数量を変えるガラス蝋燭立て。
【請求項３】
前記制限機構は四つの前記回転チャンバの下端壁の中に設置され且つ上に開口した上げチャンバを含み、前記上げチャンバの中には上端が前記回転チャンバの中には位置した台形ブロックが設置され、前記上げチャンバが前記回転チャンバと連通され且つ前記上げチャンバの中には前記台形ブロックを復帰させる上げ撥条が設置され、前記台形ブロックの下端には前記係止ブロックの移動を制限する二つの制限板が設置され、前記制限機構の作用は前記円形板と前記回転棒の回転によって次第に前記固定ブロックと前記押しブロックとを制御して台形ブロックの上側から離れさせ、それにより前記係止ブロックを制御できることを特徴とする請求項１に記載の自動的に数量を変えるガラス蝋燭立て。
【発明の詳細な説明】
【技術分野】
【０００１】
本発明はガラスの分野を取り上げて、具体的には自動的に数量を変えるガラス蝋燭立てである。
【背景技術】
【０００２】
現在、停電する時、又は雰囲気を調節する時、一般的にキャンドルを選び、蝋燭立てはキャンドルを立てる存在であり、一般的な蝋燭立ては一本の蝋燭しか立てなく、複数の蝋燭を立てる時、大体は蝋燭立てに幾つの立てを分け、蝋燭を使わない時、極めてスペースを取る。
【先行技術文献】
【特許文献】
【０００３】
【特許文献１】中国特許出願公開第107588412号明細書
【発明の概要】
【発明が解決しようとする課題】
【０００４】
本発明の目的は自動的に自動的に数量を変えるガラス蝋燭立てを提供し、上記背景技術に提出した問題を解決できる。
【課題を解決するための手段】
【０００５】
本発明の自動的に数量を変えるガラス蝋燭立ては、台座及び蝋燭を立てる蝋燭立てを含み、前記蝋燭立ての中には四つの外部空間と連通した回転溝が設置され、前記回転溝の両側端壁の中にはいずれも前記回転溝と連通した昇降溝が設置され、前記回転溝の中には回転でき且つ蝋燭を立てる回転板が設置され、前記昇降溝の中には昇降でき且つ一端が前記回転溝の中に位置した昇降ブロックが設置され、二つの前記昇降ブロックの間には前記回転板の下端を貫通して第一ねじりばねによって前記回転板と連結した回転軸が固定され、二つの前記昇降ブロックの間には前記回転板が回転した後前記回転板を支持する位置制限板が固定されされ、前記回転板の上端には係止ブロックが固定され、前記蝋燭立ての中には前記回転溝に連通した回転チャンバが設置され、前記回転チャンバの中には装置の作動に動力を提供する駆動機構が設置され、前記駆動機構はモーター及び前記モーターと伝動できるように連結された駆動軸を含み、前記駆動軸の下端には昇降板がスライドできるように連結され、前記昇降板の中には前記昇降板に貫通された前記回転溝が設置され、前記回転溝の中には前記駆動軸とねじ山によって連結され且つ前記昇降板を昇降させる回転ブロックが設置され、前記回転溝の外端壁の中には二つの前記回転溝を連通した弓形チャンバが設置され、前記弓形チャンバの一側端壁の中には弓形溝が設置され、前記弓形溝の中には一端が前記弓形チャンバの中に位置した弓形棒と、前記弓形棒を復帰させる伸縮撥条が設置され、前記弓形棒の一端には一端が前記回転溝を貫通しかつ前記回転ブロックと連結された連結ブロックが設置され、前記回転チャンバの上端壁の中には回転チャンバが設置され、前記回転チャンバの中には前記係止ブロックと前記回転板の回転を制限できる制限機構が設置され、前記制限機構は前記回転チャンバの後端壁に固定された二つの支持板を含み、前記駆動軸の上端が二つの前記支持板を貫通しかつ前記回転チャンバの中に位置し、前記駆動軸の上端には回転棒がスライドできるように連結されかつ前記回転棒が上側の前記支持板の上側に位置し、前記駆動軸の上端にはまた二つの前記支持板の間に位置した円形板がスライドできるように連結され、上側の前記支持板の中には前記円形板と吸引し合う電磁リングが設置され、前記回転棒の上端には上端と前記回転チャンバの上端とが固定的に連結され且つ前記回転棒を復帰させる第二ねじりばねが設置され、前記円形板の中には二つの前記円形板を貫通した弓形穴が設置され、前記回転棒の前後両端にはいずれも前記弓形棒を貫通した二つの押しブロックが設置され、前記円形板の下端面には二つの固定ブロックが固定され、装置の作用は前記駆動軸の回転によって前記制限機構の作動を制御し、それにより需要によって一定数量の前記回転板の回転を制御し、それによりスペースを節約する。
【０００６】
更なる技術方案、前記駆動機構は前記弓形棒の中に位置した下に開口した押出溝を含み、前記押出溝の中には押出ブロック及び前記押出ブロックを復帰させる押出撥条が設置され、前記弓形溝の下端壁の中には前記回転チャンバを連通した位置制限穴が設置され、前記回転チャンバの下端壁には上端が前記位置制限穴の中に位置した二つの固定棒が設置され、前記昇降板の前後左右四端にはいずれも一端が前記位置制限板の下側に位置し且つ前記位置制限板を上昇させる昇降棒が固定され、前記駆動機構の作用は前記円形板の回転を制御する同時にニーズによって回転板を昇降連動させる。
【０００７】
更なる技術方案、前記制限機構は四つの前記回転チャンバの下端壁の中に設置され且つ上に開口した上げチャンバを含み、前記上げチャンバの中には上端が前記回転チャンバの中には位置した台形ブロックが設置され、前記上げチャンバが前記回転チャンバと連通され且つ前記上げチャンバの中には前記台形ブロックを復帰させる上げ撥条が設置され、前記台形ブロックの下端には前記係止ブロックの移動を制限する二つの制限板が設置され、前記制限機構の作用は前記円形板と前記回転棒の回転によって次第に前記固定ブロックと前記押しブロックとを制御して台形ブロックの上側から離れさせ、それにより前記係止ブロックを制御できる。
【発明の効果】
【０００８】
本発明の有益な効果は：本装置は構造が簡単で、操作が便利で、蝋燭の量によって、ガラス蝋燭立ては機械の伝動によって自動的に一定な量の蝋燭を立てる回転板を伸び出し、必要のない時回転板を蝋燭立ての中に収納でき、蝋燭立ての体積をへらす。
【図面の簡単な説明】
【０００９】
下記に図1〜８をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１０】
【図１】図１は本発明の自動的に数量を変えるガラス蝋燭立ての全体断面の正面構造模式図
【図２】図２は本発明の自動的に数量を変えるガラス蝋燭立ての全体断面の左面構造模式図
【図３】図３は本発明の自動的に数量を変えるガラス蝋燭立ての全体断面の上面拡大構造模式図
【図４】図４は本発明の自動的に数量を変えるガラス蝋燭立ての円形板の全体断面の上面拡大構造模式図
【図５】図５は本発明の自動的に数量を変えるガラス蝋燭立ての押出溝の構造全断面の左面拡大構造模式図
【図６】図６は本発明の自動的に数量を変えるガラス蝋燭立ての昇降板の局部断面の正面拡大構造模式図
【図７】図７は本発明の自動的に数量を変えるガラス蝋燭立ての駆動機構の局部断面の正面拡大構造模式図
【図８】図８は本発明の自動的に数量を変えるガラス蝋燭立ての駆動機構の局部断面の上面拡大構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１〜８を参考し、本発明の自動的に数量を変えるガラス蝋燭立ては、台座１及び蝋燭を立てる蝋燭立て２を含み、前記蝋燭立て２の中には四つの外部空間と連通した回転溝８が設置され、前記回転溝８の両側端壁の中にはいずれも前記回転溝８と連通した昇降溝４が設置され、前記回転溝８の中には回転でき且つ蝋燭を立てる回転板７が設置され、前記昇降溝４の中には昇降でき且つ一端が前記回転溝８の中に位置した昇降ブロック２３が設置され、二つの前記昇降ブロック２３の間には前記回転板７の下端を貫通して第一ねじりばね２２によって前記回転板７と連結した回転軸６が固定され、二つの前記昇降ブロック２３の間には前記回転板７が回転した後前記回転板７を支持する位置制限板５が固定されされ、前記回転板７の上端には係止ブロック２１が固定され、前記蝋燭立て２の中には前記回転溝８に連通した回転チャンバ２６が設置され、前記回転チャンバ２６の中には装置の作動に動力を提供する駆動機構４０が設置され、前記駆動機構４０はモーター２５及び前記モーター２５と伝動できるように連結された駆動軸２４を含み、前記駆動軸２４の下端には昇降板２９がスライドできるように連結され、前記昇降板２９の中には前記昇降板２９に貫通された前記回転溝２８が設置され、前記回転溝２８の中には前記駆動軸２４とねじ山によって連結され且つ前記昇降板２９を昇降させる回転ブロック３３が設置され、前記回転溝２８の外端壁の中には二つの前記回転溝２８を連通した弓形チャンバ３２が設置され、前記弓形チャンバ３２の一側端壁の中には弓形溝３５が設置され、前記弓形溝３５の中には一端が前記弓形チャンバ３２の中に位置した弓形棒３６と、前記弓形棒３６を復帰させる伸縮撥条３８が設置され、前記弓形棒３６の一端には一端が前記回転溝２８を貫通しかつ前記回転ブロック３３と連結された連結ブロック３４が設置され、前記回転チャンバ２６の上端壁の中には回転チャンバ１２が設置され、前記回転チャンバ１２の中には前記係止ブロック２１と前記回転板７の回転を制限できる制限機構４１が設置され、前記制限機構４１は前記回転チャンバ１２の後端壁に固定された二つの支持板１８を含み、前記駆動軸２４の上端が二つの前記支持板１８を貫通しかつ前記回転チャンバ１２の中に位置し、前記駆動軸２４の上端には回転棒１４がスライドできるように連結されかつ前記回転棒１４が上側の前記支持板１８の上側に位置し、前記駆動軸２４の上端にはまた二つの前記支持板１８の間に位置した円形板１３がスライドできるように連結され、上側の前記支持板１８の中には前記円形板１３と吸引し合う電磁リング１５が設置され、前記回転棒１４の上端には上端と前記回転チャンバ１２の上端とが固定的に連結され且つ前記回転棒１４を復帰させる第二ねじりばね１６が設置され、前記円形板１３の中には二つの前記円形板１３を貫通した弓形穴３１が設置され、前記回転棒１４の前後両端にはいずれも前記弓形棒３１を貫通した二つの押しブロック３１が設置され、前記円形板１３の下端面には二つの固定ブロック１９が固定され、装置の作用は前記駆動軸２４の回転によって前記制限機構４１の作動を制御し、それにより需要によって一定数量の前記回転板７の回転を制御し、それによりスペースを節約する。
【００１３】
有益なように、前記駆動機構４０は前記弓形棒３６の中に位置した下に開口した押出溝１７を含み、前記押出溝１７の中には押出ブロック３７及び前記押出ブロック３７を復帰させる押出撥条４２が設置され、前記弓形溝３５の下端壁の中には前記回転チャンバ２６を連通した位置制限穴３９が設置され、前記回転チャンバ２６の下端壁には上端が前記位置制限穴３９の中に位置した二つの固定棒３が設置され、前記昇降板２９の前後左右四端にはいずれも一端が前記位置制限板５の下側に位置し且つ前記位置制限板５を上昇させる昇降棒２７が固定され、前記駆動機構４０の作用は前記円形板１３の回転を制御する同時にニーズによって回転板７を昇降連動させる。
【００１４】
有益なように、前記制限機構４１は四つの前記回転チャンバ１２の下端壁の中に設置され且つ上に開口した上げチャンバ２０を含み、前記上げチャンバ２０の中には上端が前記回転チャンバ１２の中には位置した台形ブロック１１が設置され、前記上げチャンバ２０が前記回転チャンバ８と連通され且つ前記上げチャンバ２０の中には前記台形ブロック１１を復帰させる上げ撥条１０が設置され、前記台形ブロック１１の下端には前記係止ブロック２１の移動を制限する二つの制限板９が設置され、前記制限機構４１の作用は前記円形板１３と前記回転棒１４の回転によって次第に前記固定ブロック１９と前記押しブロック３０とを制御して台形ブロック１１の上側から離れさせ、それにより前記係止ブロック２１を制御できる。
【００１５】
以下、付図１〜８及び上記の本願発明の自動的に数量を変えるガラス蝋燭立ての具体的な構造を参考して自動的に数量を変えるガラス蝋燭立ての使い方を詳しく説明する：
【００１６】
回転板７に蝋燭を立てる時、モーター２５が作動して駆動軸２４を回転連動させ、それにより回転ブロック３３と円形板１３とを回転連動させ、円形板１３が回転して固定ブロック１９を左右の二つの台形ブロック１１の上側から離れさせ、台形ブロック１１が上げ撥条１０によって上昇し、制限板９もそれにつれて上昇し、係止ブロック２１が制限をなくし、回転板７が第一ねじりばね２２によって回転して最終に位置制限板５と接触し、円形板１３の回転は最終に押しブロック３０と弓形穴３１の一側端壁とを接触させ、同時に回転ブロック３３の回転が連結ブロック３４と弓形棒３６とを回転させ、伸縮撥条３８が伸び、この時回転板７の位置が十分に高くなければ、電磁リング１５が始動して円形板１３と吸引し合い、駆動軸２４が回転し、回転ブロック３３を回転連動させて連結ブロック３４の一端と弓形チャンバ３２の一側端壁とを接触させ、且つ押出ブロック３７が位置制限穴３９の中に入り、昇降棒２７の制限によって、回転ブロック３３が昇降板２９と昇降棒２７とを上昇連動させ、円形板１３が再び回転しなく、昇降棒２７が位置制限板５を上昇連動させ、それにより回転板７を上昇連動させる。
【００１７】
より多くな回転板７に蝋燭を立てれば、電磁リング１５が作動しなく、駆動軸２４が引続き回転して円形板１３に回転棒１４を回転連動させ、それにより押しブロック３０も前後両側の台形ブロック１１の上端から離れ、それにより前後両側の回転板７を回転させ、この時連結ブロック３４の一端と弓形チャンバ３２の一側端壁とが接触し、且つ押出ブロック１７が位置制限穴３９の上側に位置し、回転板７を上昇させる時、引続き反時計回りに駆動軸２４を回転させ、伝動によって回転板７を上昇させ、装置を復帰させる時、駆動軸２４が時計回りに回転し、昇降板２９と回転板７とが降下し、昇降板２９が戻った時、固定棒３が押出ブロック１７を押出溝１７の中に復帰させ、この時手動で回転板７を回転溝８の中に戻し、そして電磁リング１５の作動を止め、駆動軸２４が円形板１３を回転連動させて復帰させ、第二ねじりばね１６が回転棒１４を復帰させ、押しブロック３０と固定ブロック１９が台形ブロック１１を下に運動連動させ、位置制限板９が再び係止ブロック２１を制限し、装置が復帰する。
【００１８】
本発明の有益な効果は：本装置は構造が簡単で、操作が便利で、蝋燭の量によって、ガラス蝋燭立ては機械の伝動によって自動的に一定な量の蝋燭を立てる回転板を伸び出し、必要のない時回転板を蝋燭立ての中に収納でき、蝋燭立ての体積をへらす。
【００１９】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020177893.tif 000003
【図２】
2020177893.tif 000004
【図３】
2020177893.tif 000005
【図４】
2020177893.tif 000006
【図５】
2020177893.tif 000007
【図６】
2020177893.tif 000008
【図７】
2020177893.tif 000009
【図８】
2020177893.tif 000010
【手続補正書】
【提出日】令和1年11月19日(2019.11.19)
【手続補正１】
【補正対象書類名】特許請求の範囲
【補正対象項目名】全文
【補正方法】変更
【補正の内容】
【特許請求の範囲】
【請求項１】
正面視で、ガラス蝋燭立てであって、台座及び蝋燭を立てる蝋燭立てを含み、前記蝋燭立ての中には四つの外部空間と連通した回転溝が設置され、前記回転溝の両側端壁の中にはいずれも前記回転溝と連通した昇降溝が設置され、前記回転溝の中には回転でき且つ蝋燭を立てる回転板が設置され、前記昇降溝の中には昇降でき且つ一端が前記回転溝の中に位置した昇降ブロックが設置され、二つの前記昇降ブロックの間には前記回転板の下端を貫通して第一ねじりばねによって前記回転板と連結した回転軸が固定され、二つの前記昇降ブロックの間には前記回転板が回転した後前記回転板を支持する位置制限板が固定されされ、前記回転板の上端には係止ブロックが固定され、前記蝋燭立ての中には前記回転溝に連通した回転チャンバが設置され、前記回転チャンバの中には装置の作動に動力を提供する駆動機構が設置され、前記駆動機構はモーター及び前記モーターと伝動できるように連結された駆動軸を含み、前記駆動軸の下端には昇降板がスライドできるように連結され、前記昇降板の中には前記昇降板に貫通された前記回転溝が設置され、前記回転溝の中には前記駆動軸とねじ山によって連結され且つ前記昇降板を昇降させる回転ブロックが設置され、前記回転溝の外端壁の中には二つの前記回転溝を連通した弓形チャンバが設置され、前記弓形チャンバの一側端壁の中には弓形溝が設置され、前記弓形溝の中には一端が前記弓形チャンバの中に位置した弓形棒と、前記弓形棒を復帰させる伸縮撥条が設置され、前記弓形棒の一端には一端が前記回転溝を貫通しかつ前記回転ブロックと連結された連結ブロックが設置され、前記回転チャンバの上端壁の中には回転チャンバが設置され、前記回転チャンバの中には前記係止ブロックと前記回転板の回転を制限できる制限機構が設置され、前記制限機構は前記回転チャンバの後端壁に固定された二つの支持板を含み、前記駆動軸の上端が二つの前記支持板を貫通しかつ前記回転チャンバの中に位置し、前記駆動軸の上端には回転棒がスライドできるように連結されかつ前記回転棒が上側の前記支持板の上側に位置し、前記駆動軸の上端にはまた二つの前記支持板の間に位置した円形板がスライドできるように連結され、上側の前記支持板の中には前記円形板と吸引し合う電磁リングが設置され、前記回転棒の上端には上端と前記回転チャンバの上端とが固定的に連結され且つ前記回転棒を復帰させる第二ねじりばねが設置され、前記円形板の中には二つの前記円形板を貫通した弓形穴が設置され、前記回転棒の前後両端にはいずれも前記弓形棒を貫通した二つの押しブロックが設置され、前記円形板の下端面には二つの固定ブロックが固定され、装置の作用は前記駆動軸の回転によって前記制限機構の作動を制御し、それにより需要によって一定数量の前記回転板の回転を制御し、それによりスペースを節約することを特徴とするガラス蝋燭立て。  
【請求項２】
前記駆動機構は前記弓形棒の中に位置した下に開口した押出溝を含み、前記押出溝の中には押出ブロック及び前記押出ブロックを復帰させる押出撥条が設置され、前記弓形溝の下端壁の中には前記回転チャンバを連通した位置制限穴が設置され、前記回転チャンバの下端壁には上端が前記位置制限穴の中に位置した二つの固定棒が設置され、前記昇降板の前後左右四端にはいずれも一端が前記位置制限板の下側に位置し且つ前記位置制限板を上昇させる昇降棒が固定され、前記駆動機構の作用は前記円形板の回転を制御する同時にニーズによって回転板を昇降連動させることを特徴とする請求項１に記載のガラス蝋燭立て。  
【請求項３】
前記制限機構は四つの前記回転チャンバの下端壁の中に設置され且つ上に開口した上げチャンバを含み、前記上げチャンバの中には上端が前記回転チャンバの中には位置した台形ブロックが設置され、前記上げチャンバが前記回転チャンバと連通され且つ前記上げチャンバの中には前記台形ブロックを復帰させる上げ撥条が設置され、前記台形ブロックの下端には前記係止ブロックの移動を制限する二つの制限板が設置され、前記制限機構の作用は前記円形板と前記回転棒の回転によって次第に前記固定ブロックと前記押しブロックとを制御して台形ブロックの上側から離れさせ、それにより前記係止ブロックを制御できることを特徴とする請求項１に記載のガラス蝋燭立て。
【手続補正２】
【補正対象書類名】明細書
【補正対象項目名】全文
【補正方法】変更
【補正の内容】
【発明の詳細な説明】
【技術分野】
【０００１】
本発明はガラスの分野を取り上げて、具体的にはガラス蝋燭立てである。  
【背景技術】
【０００２】
現在、停電する時、又は雰囲気を調節する時、一般的にキャンドルを選び、蝋燭立てはキャンドルを立てる存在であり、一般的な蝋燭立ては一本の蝋燭しか立てなく、複数の蝋燭を立てる時、大体は蝋燭立てに幾つの立てを分け、蝋燭を使わない時、極めてスペースを取る。  
【先行技術文献】
【特許文献】
【０００３】
【特許文献１】中国特許出願公開第１０７５８８４１２号明細書
【発明の概要】
【発明が解決しようとする課題】
【０００４】
本発明の目的は自動的にガラス蝋燭立てを提供し、上記背景技術に提出した問題を解決できる。  
【課題を解決するための手段】
【０００５】
本発明のガラス蝋燭立ては、台座及び蝋燭を立てる蝋燭立てを含み、前記蝋燭立ての中には四つの外部空間と連通した回転溝が設置され、前記回転溝の両側端壁の中にはいずれも前記回転溝と連通した昇降溝が設置され、前記回転溝の中には回転でき且つ蝋燭を立てる回転板が設置され、前記昇降溝の中には昇降でき且つ一端が前記回転溝の中に位置した昇降ブロックが設置され、二つの前記昇降ブロックの間には前記回転板の下端を貫通して第一ねじりばねによって前記回転板と連結した回転軸が固定され、二つの前記昇降ブロックの間には前記回転板が回転した後前記回転板を支持する位置制限板が固定されされ、前記回転板の上端には係止ブロックが固定され、前記蝋燭立ての中には前記回転溝に連通した回転チャンバが設置され、前記回転チャンバの中には装置の作動に動力を提供する駆動機構が設置され、前記駆動機構はモーター及び前記モーターと伝動できるように連結された駆動軸を含み、前記駆動軸の下端には昇降板がスライドできるように連結され、前記昇降板の中には前記昇降板に貫通された前記回転溝が設置され、前記回転溝の中には前記駆動軸とねじ山によって連結され且つ前記昇降板を昇降させる回転ブロックが設置され、前記回転溝の外端壁の中には二つの前記回転溝を連通した弓形チャンバが設置され、前記弓形チャンバの一側端壁の中には弓形溝が設置され、前記弓形溝の中には一端が前記弓形チャンバの中に位置した弓形棒と、前記弓形棒を復帰させる伸縮撥条が設置され、前記弓形棒の一端には一端が前記回転溝を貫通しかつ前記回転ブロックと連結された連結ブロックが設置され、前記回転チャンバの上端壁の中には回転チャンバが設置され、前記回転チャンバの中には前記係止ブロックと前記回転板の回転を制限できる制限機構が設置され、前記制限機構は前記回転チャンバの後端壁に固定された二つの支持板を含み、前記駆動軸の上端が二つの前記支持板を貫通しかつ前記回転チャンバの中に位置し、前記駆動軸の上端には回転棒がスライドできるように連結されかつ前記回転棒が上側の前記支持板の上側に位置し、前記駆動軸の上端にはまた二つの前記支持板の間に位置した円形板がスライドできるように連結され、上側の前記支持板の中には前記円形板と吸引し合う電磁リングが設置され、前記回転棒の上端には上端と前記回転チャンバの上端とが固定的に連結され且つ前記回転棒を復帰させる第二ねじりばねが設置され、前記円形板の中には二つの前記円形板を貫通した弓形穴が設置され、前記回転棒の前後両端にはいずれも前記弓形棒を貫通した二つの押しブロックが設置され、前記円形板の下端面には二つの固定ブロックが固定され、装置の作用は前記駆動軸の回転によって前記制限機構の作動を制御し、それにより需要によって一定数量の前記回転板の回転を制御し、それによりスペースを節約する。  
【０００６】
更なる技術方案、前記駆動機構は前記弓形棒の中に位置した下に開口した押出溝を含み、前記押出溝の中には押出ブロック及び前記押出ブロックを復帰させる押出撥条が設置され、前記弓形溝の下端壁の中には前記回転チャンバを連通した位置制限穴が設置され、前記回転チャンバの下端壁には上端が前記位置制限穴の中に位置した二つの固定棒が設置され、前記昇降板の前後左右四端にはいずれも一端が前記位置制限板の下側に位置し且つ前記位置制限板を上昇させる昇降棒が固定され、前記駆動機構の作用は前記円形板の回転を制御する同時にニーズによって回転板を昇降連動させる。  
【０００７】
更なる技術方案、前記制限機構は四つの前記回転チャンバの下端壁の中に設置され且つ上に開口した上げチャンバを含み、前記上げチャンバの中には上端が前記回転チャンバの中には位置した台形ブロックが設置され、前記上げチャンバが前記回転チャンバと連通され且つ前記上げチャンバの中には前記台形ブロックを復帰させる上げ撥条が設置され、前記台形ブロックの下端には前記係止ブロックの移動を制限する二つの制限板が設置され、前記制限機構の作用は前記円形板と前記回転棒の回転によって次第に前記固定ブロックと前記押しブロックとを制御して台形ブロックの上側から離れさせ、それにより前記係止ブロックを制御できる。  
【発明の効果】
【０００８】
本発明の有益な効果は：本装置は構造が簡単で、操作が便利で、蝋燭の量によって、ガラス蝋燭立ては機械の伝動によって自動的に一定な量の蝋燭を立てる回転板を伸び出し、必要のない時回転板を蝋燭立ての中に収納でき、蝋燭立ての体積をへらす。  
【図面の簡単な説明】
【０００９】
下記に図１〜８をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。  
【００１０】
【図１】図１は本発明のガラス蝋燭立ての全体断面の正面構造模式図
【図２】図２は本発明のガラス蝋燭立ての全体断面の左面構造模式図
【図３】図３は本発明のガラス蝋燭立ての全体断面の上面拡大構造模式図
【図４】図４は本発明のガラス蝋燭立ての円形板の全体断面の上面拡大構造模式図
【図５】図５は本発明のガラス蝋燭立ての押出溝の構造全断面の左面拡大構造模式図
【図６】図６は本発明のガラス蝋燭立ての昇降板の局部断面の正面拡大構造模式図
【図７】図７は本発明のガラス蝋燭立ての駆動機構の局部断面の正面拡大構造模式図
【図８】図８は本発明のガラス蝋燭立ての駆動機構の局部断面の上面拡大構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。  
【００１２】
図１〜８を参考し、本発明のガラス蝋燭立ては、台座１及び蝋燭を立てる蝋燭立て２を含み、前記蝋燭立て２の中には四つの外部空間と連通した回転溝８が設置され、前記回転溝８の両側端壁の中にはいずれも前記回転溝８と連通した昇降溝４が設置され、前記回転溝８の中には回転でき且つ蝋燭を立てる回転板７が設置され、前記昇降溝４の中には昇降でき且つ一端が前記回転溝８の中に位置した昇降ブロック２３が設置され、二つの前記昇降ブロック２３の間には前記回転板７の下端を貫通して第一ねじりばね２２によって前記回転板７と連結した回転軸６が固定され、二つの前記昇降ブロック２３の間には前記回転板７が回転した後前記回転板７を支持する位置制限板５が固定されされ、前記回転板７の上端には係止ブロック２１が固定され、前記蝋燭立て２の中には前記回転溝８に連通した回転チャンバ２６が設置され、前記回転チャンバ２６の中には装置の作動に動力を提供する駆動機構４０が設置され、前記駆動機構４０はモーター２５及び前記モーター２５と伝動できるように連結された駆動軸２４を含み、前記駆動軸２４の下端には昇降板２９がスライドできるように連結され、前記昇降板２９の中には前記昇降板２９に貫通された前記回転溝２８が設置され、前記回転溝２８の中には前記駆動軸２４とねじ山によって連結され且つ前記昇降板２９を昇降させる回転ブロック３３が設置され、前記回転溝２８の外端壁の中には二つの前記回転溝２８を連通した弓形チャンバ３２が設置され、前記弓形チャンバ３２の一側端壁の中には弓形溝３５が設置され、前記弓形溝３５の中には一端が前記弓形チャンバ３２の中に位置した弓形棒３６と、前記弓形棒３６を復帰させる伸縮撥条３８が設置され、前記弓形棒３６の一端には一端が前記回転溝２８を貫通しかつ前記回転ブロック３３と連結された連結ブロック３４が設置され、前記回転チャンバ２６の上端壁の中には回転チャンバ１２が設置され、前記回転チャンバ１２の中には前記係止ブロック２１と前記回転板７の回転を制限できる制限機構４１が設置され、前記制限機構４１は前記回転チャンバ１２の後端壁に固定された二つの支持板１８を含み、前記駆動軸２４の上端が二つの前記支持板１８を貫通しかつ前記回転チャンバ１２の中に位置し、前記駆動軸２４の上端には回転棒１４がスライドできるように連結されかつ前記回転棒１４が上側の前記支持板１８の上側に位置し、前記駆動軸２４の上端にはまた二つの前記支持板１８の間に位置した円形板１３がスライドできるように連結され、上側の前記支持板１８の中には前記円形板１３と吸引し合う電磁リング１５が設置され、前記回転棒１４の上端には上端と前記回転チャンバ１２の上端とが固定的に連結され且つ前記回転棒１４を復帰させる第二ねじりばね１６が設置され、前記円形板１３の中には二つの前記円形板１３を貫通した弓形穴３１が設置され、前記回転棒１４の前後両端にはいずれも前記弓形棒３１を貫通した二つの押しブロック３１が設置され、前記円形板１３の下端面には二つの固定ブロック１９が固定され、装置の作用は前記駆動軸２４の回転によって前記制限機構４１の作動を制御し、それにより需要によって一定数量の前記回転板７の回転を制御し、それによりスペースを節約する。  
【００１３】
有益なように、前記駆動機構４０は前記弓形棒３６の中に位置した下に開口した押出溝１７を含み、前記押出溝１７の中には押出ブロック３７及び前記押出ブロック３７を復帰させる押出撥条４２が設置され、前記弓形溝３５の下端壁の中には前記回転チャンバ２６を連通した位置制限穴３９が設置され、前記回転チャンバ２６の下端壁には上端が前記位置制限穴３９の中に位置した二つの固定棒３が設置され、前記昇降板２９の前後左右四端にはいずれも一端が前記位置制限板５の下側に位置し且つ前記位置制限板５を上昇させる昇降棒２７が固定され、前記駆動機構４０の作用は前記円形板１３の回転を制御する同時にニーズによって回転板７を昇降連動させる。  
【００１４】
有益なように、前記制限機構４１は四つの前記回転チャンバ１２の下端壁の中に設置され且つ上に開口した上げチャンバ２０を含み、前記上げチャンバ２０の中には上端が前記回転チャンバ１２の中には位置した台形ブロック１１が設置され、前記上げチャンバ２０が前記回転チャンバ８と連通され且つ前記上げチャンバ２０の中には前記台形ブロック１１を復帰させる上げ撥条１０が設置され、前記台形ブロック１１の下端には前記係止ブロック２１の移動を制限する二つの制限板９が設置され、前記制限機構４１の作用は前記円形板１３と前記回転棒１４の回転によって次第に前記固定ブロック１９と前記押しブロック３０とを制御して台形ブロック１１の上側から離れさせ、それにより前記係止ブロック２１を制御できる。  
【００１５】
以下、付図１〜８及び上記の本願発明のガラス蝋燭立ての具体的な構造を参考してガラス蝋燭立ての使い方を詳しく説明する：  
【００１６】
回転板７に蝋燭を立てる時、モーター２５が作動して駆動軸２４を回転連動させ、それにより回転ブロック３３と円形板１３とを回転連動させ、円形板１３が回転して固定ブロック１９を左右の二つの台形ブロック１１の上側から離れさせ、台形ブロック１１が上げ撥条１０によって上昇し、制限板９もそれにつれて上昇し、係止ブロック２１が制限をなくし、回転板７が第一ねじりばね２２によって回転して最終に位置制限板５と接触し、円形板１３の回転は最終に押しブロック３０と弓形穴３１の一側端壁とを接触させ、同時に回転ブロック３３の回転が連結ブロック３４と弓形棒３６とを回転させ、伸縮撥条３８が伸び、この時回転板７の位置が十分に高くなければ、電磁リング１５が始動して円形板１３と吸引し合い、駆動軸２４が回転し、回転ブロック３３を回転連動させて連結ブロック３４の一端と弓形チャンバ３２の一側端壁とを接触させ、且つ押出ブロック３７が位置制限穴３９の中に入り、昇降棒２７の制限によって、回転ブロック３３が昇降板２９と昇降棒２７とを上昇連動させ、円形板１３が再び回転しなく、昇降棒２７が位置制限板５を上昇連動させ、それにより回転板７を上昇連動させる。  
【００１７】
より多くな回転板７に蝋燭を立てれば、電磁リング１５が作動しなく、駆動軸２４が引続き回転して円形板１３に回転棒１４を回転連動させ、それにより押しブロック３０も前後両側の台形ブロック１１の上端から離れ、それにより前後両側の回転板７を回転させ、この時連結ブロック３４の一端と弓形チャンバ３２の一側端壁とが接触し、且つ押出ブロック１７が位置制限穴３９の上側に位置し、回転板７を上昇させる時、引続き反時計回りに駆動軸２４を回転させ、伝動によって回転板７を上昇させ、装置を復帰させる時、駆動軸２４が時計回りに回転し、昇降板２９と回転板７とが降下し、昇降板２９が戻った時、固定棒３が押出ブロック１７を押出溝１７の中に復帰させ、この時手動で回転板７を回転溝８の中に戻し、そして電磁リング１５の作動を止め、駆動軸２４が円形板１３を回転連動させて復帰させ、第二ねじりばね１６が回転棒１４を復帰させ、押しブロック３０と固定ブロック１９が台形ブロック１１を下に運動連動させ、位置制限板９が再び係止ブロック２１を制限し、装置が復帰する。  
【００１８】
本発明の有益な効果は：本装置は構造が簡単で、操作が便利で、蝋燭の量によって、ガラス蝋燭立ては機械の伝動によって自動的に一定な量の蝋燭を立てる回転板を伸び出し、必要のない時回転板を蝋燭立ての中に収納でき、蝋燭立ての体積をへらす。  
【００１９】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。